(57)【要約】      （修正有）【課題】ネットワークカメラ、ネットワーク、屋内機器、セキュリティ機器およびストレージデバイス等との接続を可能としたテレビドアホンシステムを提供する。【解決手段】テレビドアホンシステムは、カメラ付玄関子機１ａと、モニタ付親機２ａと、カメラ付玄関子機及びモニタ付親機との間で伝送される映像信号及び音声信号を中継するためにカメラ付玄関子機及びモニタ付親機間を接続するルータ９とで構成されている。ルータ９は、インターホン通信プロトコルの変換を必要とすることなく複数のカメラ付玄関子機及び複数のモニタ付親機を接続するための第１群の接続端子９１と、映像信号を伝送するためのネットワークカメラ３を接続するための第２群の接続端子９２と、汎用ネットワークプロトコルをインターホン通信プロトコルに変換するための第１の信号変換部９９ａと、信号伝送路を形成するための制御部９９とを備えている。【選択図】図１
2012209900.tif 000002
【特許請求の範囲】
【請求項１】
カメラ付玄関子機（１ａ）と、前記カメラ付玄関子機にて撮像された映像信号を出画するとともに前記カメラ付き玄関子機との間で音声信号を送受信して通話を成立させるためのモニタ付親機（２ａ）と、前記カメラ付玄関子機及び前記モニタ付親機との間で伝送される前記映像信号及び前記音声信号を中継するために前記カメラ付玄関子機及び前記モニタ付親機間を接続するルータ（９）とで構成され、
前記ルータは、インターホン通信プロトコルの変換を必要とすることなく複数のカメラ付玄関子機及び複数のモニタ付親機を接続するための第１群の接続端子（９１）と、汎用ネットワークプロトコルをインターホン通信プロトコルに変換して映像信号を伝送するためのネットワークカメラ（３）を接続するための第２群の接続端子（９２）と、
前記第２群の接続端子にて受信された映像信号を前記第１の接続端子に接続された前記複数のモニタ付親機の少なくとも１に伝送する目的で前記汎用ネットワークプロトコルを前記インターホン通信プロトコルに変換するための第１の信号変換部（９９ａ）と、前記第２群の接続端子にて受信された映像信号を伝送すべきモニタ付親機への信号伝送路を形成するための制御部（９９）とを備えることを特徴とするテレビドアホンシステム。
【請求項２】
前記ルータは、ネットワーク（Ｎ）をネットワークケーブル（Ｌ１）を経由して接続するための第３群の接続端子（９３）と、前記第１群の接続端子にて受信された映像信号、複数のカメラ付玄関子機及び複数のモニタ付親機の少なくとも１からのセキュリティ信号を前記第３群の接続端子に接続された前記ネットワークケーブルを経由して前記ネットワークに前記インターホン通信プロトコルを前記汎用ネットワークプロトコルに変換するための第２の信号変換部（９９ｂ）とを備えることを特徴とする請求項１記載のテレビドアホンシステム。
【請求項３】
前記ルータは、屋内機器（４）を屋内機器ケーブル（Ｌ２）を経由して接続するための第４群の接続端子（９４）と、前記第１の接続端子にて受信された前記映像信号及び前記セキュリティ信号の少なくとも１を前記第３の接続端子に前記ネットワークケーブルを経由して接続された前記ネットワークに伝送するための第３の信号変換部（９９ｃ）と、前記第１の接続端子にて受信された前記映像信号及び前記セキュリティ信号の少なくとも１を伝送すべき屋内機器への信号伝送路を形成するとともに、前記第３群の接続端子にて受信されたネットワークケーブル（Ｌ１）を経由して接続されたネットワークからの信号を伝送すべき屋内機器への信号伝送路を形成するための制御部（９９）とを備えることを請求項２記載のテレビドアホンシステム。
【請求項４】
前記ルータは、セキュリティ通信プロトコルを有するセキュリティ機器（５）を接続するための第５群の接続端子（９５）と、前記第５の接続端子にて受信された前記セキュリティ機器からのセキュリティ信号を複数のカメラ付玄関子機及び複数のモニタ付親機の少なくとも１に送信する目的で前記セキュリティ通信プロトコルから前記インターホン通信プロトコルに変換するための第４の信号変換部（９９ｄ）とを備えることを特徴とする請求項１記載のテレビドアホンシステム。
【請求項５】
前記モニタ付親機は、前記セキュリティ機器からのセキュリティ信号を受信して鳴動するための報知部(２１ａ)と、前記屋内機器又は前記ネットワークに対して前記セキュリティ信号を転送するか否かを設定するための設定部(２２ａ)とを備えることを特徴とする請求項４記載のテレビドアホンシステム。
【請求項６】
前記ルータは、当該ルータ内の信号流量を測定し、前記信号流量が予め定められた閾値を超えた場合には前記第１の接続端子にて受信された前記映像信号及び前記セキュリティ信号の少なくとも１を優先処理し、前記映像信号及び前記セキュリティ信号の少なくとも１以外の他の信号の処理を遮断又は遅延時間挿入等により抑制するための第１の流量抑制部(９８ａ)を備えることを特徴とする請求項１乃至請求項５のうち何れか１項記載のテレビドアホンシステム。
【請求項７】
前記ルータは、前記セキュリティ信号の少なくとも１以外の他の信号を抑制したにも関わらず前記信号流量が予め定められた閾値を超えた場合には、前記第２群の接続端子及び前記第５群の接続端子のうち少なくとも１にて受信された信号を優先処理し、前記第２群の接続端子及び前記第５群の接続端子を除く他群の接続端子にて受信された信号の処理を遮断又は遅延時間挿入等により抑制するための第２の流量抑制部(９８ｂ)を備えることを特徴とする請求項６記載のテレビドアホンシステム。
【請求項８】
前記ルータは、ストレージデバイス（６）を接続し、前記第１群、前記第３群、前記第４群の接続端子にそれぞれ接続された機器からの映像信号について信号書き込みを可能とするための第６群の接続端子（９６）と、前記第１群、前記第３群、前記第４群の接続端子にそれぞれ接続された機器からの前記映像信号を前記ストレージデバイスに送信する目的で前記インターホン通信プロトコルから前記屋内機器で処理可能なデータ形式に変換するための第５の信号変換部（９９ｅ）とを備えることを特徴とする請求項３記載のテレビドアホンシステム。
【発明の詳細な説明】
【技術分野】
【０００１】
本発明はテレビドアホンシステムに係り、特に、住戸内に設置された親機と玄関に設置されたカメラ付玄関子機の間での通話を、ルータを介して他の機器に伝送することができるとともに、ルータにネットワークカメラ、ネットワーク、屋内機器、セキュリティ機器およびストレージデバイス等を接続することができるテレビドアホンシステムに関する。
【背景技術】
【０００２】
従来から、この種のテレビドアホンシステムとして、カメラ付玄関子機と、カメラ付玄関子機にて撮像された画像を録画するための録画機能、録画された画像を再生するための再生機能を有するモニタ付親機および増設親機とで構成され、無線通信機能と有線通信機能とを持ち、無線通信若しくは有線通信とネットワークとを使用してインターネットに接続可能なテレビドアホンシステムであって、モニタ付親機は、ＰＨＳデータ通信プロトコル対応のターミナルアダプタを接続し、ターミナルアダプタに登録され増設親機との間で無線による内線通話を行うためのＰＨＳカードを備えるものが知られている（例えば、特許文献１等）。
【０００３】
このようなテレビドアホンシステムによれば、ＰＨＳデータ通信プロトコル対応のターミナルアダプタに登録させたＰＨＳカードをモニタ付親機および増設親機に装着することにより、当該親機の間で無線による内線通話が可能となるばかりでなく、これらモニタ付親機および増設親機からターミナルアダプタを介してインターネットへの接続を無線通信若しくは有線通信とネットワークとを使用して行うことができる。
【０００４】
しかしながら、このような従来のテレビドアホンシステムにおいては、モニタ付親機に配線が集中することにより機器配線が複雑になるとともに、テレビドアホン側へのデータ伝送に限界があり、また、インターネットへの接続のためにはさらに他のルータを必要とするために拡張性に乏しいという問題があった。
【先行技術文献】
【特許文献】
【０００５】
【特許文献１】特開２００４−１５３４１８号公報
【発明の概要】
【発明が解決しようとする課題】
【０００６】
本発明は、上述の難点を解消するためになされたもので、カメラ付玄関子機及びモニタ付親機との中間にルータを設置することで、当該ルータを介してネットワークカメラ、インターネットプロバイダ等のネットワーク、パーソナルコンピュータ等の屋内機器、防犯センサ等のセキュリティ機器およびハードディスク等のストレージデバイス等との接続を可能としたテレビドアホンシステムを提供することを目的としている。
【課題を解決するための手段】
【０００７】
本発明の第１の態様であるテレビドアホンシステムは、カメラ付玄関子機と、カメラ付玄関子機にて撮像された映像信号を出画するとともにカメラ付き玄関子機との間で音声信号を送受信して通話を成立させるためのモニタ付親機と、カメラ付玄関子機及びモニタ付親機との間で伝送される映像信号及び前記音声信号を中継するためにカメラ付玄関子機及びモニタ付親機間を接続するルータとで構成され、ルータは、インターホン通信プロトコルの変換を必要とすることなく複数のカメラ付玄関子機及び複数のモニタ付親機を接続するための第１群の接続端子と、汎用ネットワークプロトコルをインターホン通信プロトコルに変換して映像信号を伝送するためのネットワークカメラを接続するための第２群の接続端子と、第２群の接続端子にて受信された映像信号を第１の接続端子に接続された複数のモニタ付親機の少なくとも１に伝送する目的で汎用ネットワークプロトコルをインターホン通信プロトコルに変換するための第１の信号変換部と、第２群の接続端子にて受信された映像信号を伝送すべきモニタ付親機への信号伝送路を形成するための制御部とを備えるものである。
【０００８】
本発明の第２の態様は、第１の態様であるテレビドアホンシステムにおいて、ルータは、ネットワークをネットワークケーブルを経由して接続するための第３群の接続端子と、第１群の接続端子にて受信された映像信号、複数のカメラ付玄関子機及び複数のモニタ付親機の少なくとも１からのセキュリティ信号を第３群の接続端子に接続されたネットワークケーブルを経由してネットワークにインターホン通信プロトコルを汎用ネットワークプロトコルに変換するための第２の信号変換部とを備えるものでる。
【０００９】
本発明の第３の態様は、第２の態様であるテレビドアホンシステムにおいて、ルータは、屋内機器を屋内機器ケーブルを経由して接続するための第４群の接続端子と、第１の接続端子にて受信された映像信号及びセキュリティ信号の少なくとも１を第３の接続端子にネットワークケーブルを経由して接続されたネットワークに伝送するための第３の信号変換部と、第１の接続端子にて受信された映像信号及びセキュリティ信号の少なくとも１を伝送すべき屋内機器への信号伝送路を形成するとともに、第３群の接続端子にて受信されたネットワークケーブルを経由して接続されたネットワークからの信号を伝送すべき屋内機器への信号伝送路を形成するための制御部とを備えるものである。
【００１０】
本発明の第４の態様は、第１の態様であるテレビドアホンシステムにおいて、ルータは、セキュリティ通信プロトコルを有するセキュリティ機器を接続するための第５群の接続端子と、第５の接続端子にて受信されたセキュリティ機器からのセキュリティ信号を複数のカメラ付玄関子機及び複数のモニタ付親機の少なくとも１に送信する目的でセキュリティ通信プロトコルからインターホン通信プロトコルに変換するための第４の信号変換部とを備えるものである。
【００１１】
本発明の第５の態様は、第４の態様であるテレビドアホンシステムにおいて、モニタ付親機は、セキュリティ機器からのセキュリティ信号を受信して鳴動するための報知部と、屋内機器又はネットワークに対してセキュリティ信号を転送するか否かを設定するための設定部とを備えるものである。
【００１２】
本発明の第６の態様は、第１の態様乃至第５の態様の何れかの態様であるテレビドアホンシステムにおいて、ルータは、当該ルータ内の信号流量を測定し、信号流量が予め定められた閾値を超えた場合には第１の接続端子にて受信された映像信号及びセキュリティ信号の少なくとも１を優先処理し、前記映像信号及び前記セキュリティ信号の少なくとも１以外の他の信号の処理を遮断又は遅延時間挿入等により抑制するための第１の流量抑制部を備えるものである。
【００１３】
本発明の第７の態様は、第６の態様であるテレビドアホンシステムにおいて、ルータは、セキュリティ信号の少なくとも１以外の他の信号を抑制したにも関わらず信号流量が予め定められた閾値を超えた場合には、第２群の接続端子及び第５群の接続端子のうち少なくとも１にて受信された信号を優先処理し、第２群の接続端子及び第５群の接続端子を除く他群の接続端子にて受信された信号の処理を遮断又は遅延時間挿入等により抑制するための第２の流量抑制部を備えるものである。
【００１４】
本発明の第８の態様は、第３の態様であるテレビドアホンシステムにおいて、ルータは、ストレージデバイスを接続し、第１群、第３群、第４群の接続端子にそれぞれ接続された機器からの映像信号について信号書き込みを可能とするための第６群の接続端子と、第１群、第３群、第４群の接続端子にそれぞれ接続された機器からの映像信号をストレージデバイスに送信する目的でインターホン通信プロトコルから屋内機器で処理可能なデータ形式に変換するための第５の信号変換部とを備えるものである。
【発明の効果】
【００１５】
本発明の第１の態様であるテレビドアホンシステムによれば、カメラ付玄関子機及びモニタ付親機間を接続するルータに、複数のカメラ付玄関子機及び複数のモニタ付親機を接続するための第１群の接続端子と、ネットワークカメラを接続するための第２群の接続端子と、汎用ネットワークプロトコルをインターホン通信プロトコルに変換するための第１の信号変換部と、映像信号を伝送すべきモニタ付親機への信号伝送路を形成するための制御部とを備えることで、テレビドアホンシステムにおいて汎用のネットワークカメラを利用することができる。
【００１６】
本発明の第２の態様であるテレビドアホンシステムによれば、第１の動作例におけるルータに、ネットワークを接続するための第３群の接続端子と、インターホン通信プロトコルを汎用ネットワークプロトコルに変換するための第２の信号変換部とを備えることで、第１の態様であるテレビドアホンシステムの作用に加え、テレビドアホンシステムのインターホン映像信号やインターホンセキュリティ信号をインターネットプロバイダ等のネットワークに容易に転送することができる。
【００１７】
本発明の第３の態様であるテレビドアホンシステムによれば、第２の動作例におけるルータに、屋内機器を接続するための第４群の接続端子と、後述するインターホン映像信号及び後述するインターホンセキュリティ信号の少なくとも１を第３の接続端子に接続されたネットワークに伝送するための第３の信号変換部と、インターホン映像信号及びインターホンセキュリティ信号の少なくとも１を伝送すべき屋内機器への信号伝送路を形成するとともに、第３群の接続端子にて受信されたネットワーク信号を伝送すべき屋内機器への信号伝送路を形成するための制御部とを備えることで、第２の態様であるテレビドアホンシステムの作用に加え、ネットワークからのネットワーク信号をパーソナルコンピュータへ伝送することができることから、居住者はテレビドアホンシステムのルータのみでパーソナルコンピュータからインターネットを利用することができるとともに、テレビドアホンシステムのインターホン映像信号やインターホンセキュリティ信号をパーソナルコンピュータに容易に転送することができる。
【００１８】
本発明の第４の態様であるテレビドアホンシステムによれば、第１の動作例におけるルータに、セキュリティ通信プロトコルを有するセキュリティ機器を接続するための第５群の接続端子と、第５の接続端子にて受信された後述する機器セキュリティ信号を複数のカメラ付玄関子機及び複数のモニタ付親機の少なくとも１に送信する目的でセキュリティ通信プロトコルからインターホン通信プロトコルに変換するための第４の信号変換部とを備えることで、第１の態様であるテレビドアホンシステムの作用に加え、セキュリティ機器をルータに接続するのみでシステムを構築することができるともに、セキュリティ機器の増設を容易に行なうことができ、また、モニタ付親機の配線端子が不要となり、モニタ付親機の小型化を実現することができ、さらに、モニタ付親機が通話中であっても機器セキュリティ信号を独立してパーソナルコンピュータやネットワークに転送することができる。
【００１９】
本発明の第５の態様であるテレビドアホンシステムによれば、第４の動作例におけるモニタ付親機に機器セキュリティ信号を受信して鳴動するための報知部と、屋内機器又はネットワークに対して機器セキュリティ信号を転送するか否かを設定するための設定部とが設けられていることから、第４の態様であるテレビドアホンシステムの作用に加え、警報時の転送設定は従来のテレビドアホンシステムと同等の操作性を維持することができる。
【００２０】
本発明の第６の態様であるテレビドアホンシステムによれば、第１乃至第５の動作例におけるルータに、ルータ内の信号流量を測定し、当該信号流量が予め定められた閾値を超えた場合には、インターホン映像信号及びインターホンセキュリティ信号の少なくとも１を優先処理し、パーソナルコンピュータからインターネットを利用するブラウザ信号の処理を遮断又は遅延時間挿入等により抑制するための第１の流量抑制部ａが設けられていることから、第１乃至第５の態様であるテレビドアホンシステムの作用に加え、パーソナルコンピュータにおいてインターネットを利用している場合でもインターホン信号が優先されるため、セキュリティの失報の危険性を減少させることができる。
【００２１】
本発明の第７の態様であるテレビドアホンシステムによれば、第６の動作例におけるルータに、前述のブラウザ信号を抑制したにも関わらず前述の信号流量が予め定められた閾値を超えた場合には、第２群の接続端子及び第５群の接続端子のうち少なくとも１にて受信された信号を優先処理し、第２群の接続端子及び第５群の接続端子を除く他群の接続端子にて受信された信号の処理を遮断又は遅延時間挿入等により抑制するための第２の流量抑制部が設けられていることから、第６の態様であるテレビドアホンシステムの作用に加え、インターホン信号の中でもセキュリティ機器からの機器セキュリティ信号やネットワークカメラからのネットワークカメラセキュリティ信号が優先されるため、セキュリティの失報の危険性をさらに減少させることができる。
【００２２】
本発明の第８の態様であるテレビドアホンシステムによれば、第３の態様であるテレビドアホンシステムの作用に加え、第３の動作例におけるルータに、テレビドアホンシステムのインターホン映像信号をハードディスク等のストレージデバイスに保管し、モニタ付親機だけでなくパーソナルコンピュータやネットワークからでも容易に閲覧可能であるとともに、ハードディスク等のストレージデバイスをパーソナルコンピュータの外部ストレージとしても利用できるため、利便性をさらに向上させることができる。
【図面の簡単な説明】
【００２３】
【図１】本発明の一実施例によるテレビドアホンシステムの構成示すブロック。
【発明を実施するための形態】
【００２４】
以下、本発明のテレビドアホンシステムを適用した好ましい実施の形態例について、図面を参照して説明する。
【００２５】
図１は、本発明の一実施例におけるテレビドアホンシステムのブロック図を示している。
【００２６】
同図おいて、本発明のテレビドアホンシステムは、複数のカメラ付玄関子機（図１には説明を容易にするため、複数のカメラ付玄関子機のうち１台のカメラ付玄関子機１ａのみが表示されている。以下、同じ。）と、カメラ付玄関子機にて撮像された映像信号を出画するとともにカメラ付き玄関子機との間で音声信号を送受信して通話を成立させるための複数のモニタ付親機（図１には説明を容易にするため、複数のモニタ付親機のうち１台のモニタ付親機２ａのみが表示されている。以下、同じ。）と、カメラ付玄関子機及びモニタ付親機との間で伝送される映像信号及び音声信号を中継するためにカメラ付玄関子機及びモニタ付親機間を接続するルータ９とを備えている。
【００２７】
ルータ９は、インターホン通信プロトコルの変換を必要とすることなく複数のカメラ付玄関子機及び複数のモニタ付親機を接続するための第１群の接続端子９１と、インターネットプロバイダ等のネットワークＮを接続するための第３群の接続端子９３と、テレビ４ａ、パーソナルコンピュータ４ｂ等の屋内機器４を接続するための第４群の接続端子９４と、セキュリティ通信プロトコルを有する防犯センサ５ａ、パッシブセンサ５ぼよび呼出ボタン５ｃ等のセキュリティ機器５を接続するための第５群の接続端子９５と、ハードディスク等のストレージデバイス６を接続し、第１群、第３群、第４群の接続端子にそれぞれ接続された機器からの映像信号について信号書き込みを可能とするためのＵＳＢ端子等の第６群の接続端子９６と、ＴＣＰ、ＵＤＰ等の汎用ネットワークプロトコルで映像信号を伝送するためのネットワークカメラ３を接続するための第２群の接続端子９２と、第２群の接続端子にて受信された映像信号を第１の接続端子に接続された複数のモニタ付親機の少なくとも１に伝送する目的で汎用ネットワークプロトコルをインターホン通信プロトコルに変換するための第１の信号変換部９９ａと、第１群の接続端子にて受信された映像信号、複数のカメラ付玄関子機及び複数のモニタ付親機の少なくとも１からの火災発生等のセキュリティ信号を第３群の接続端子に接続されたネットワークケーブルを経由してネットワークにインターホン通信プロトコルを汎用ネットワークプロトコルに変換するための第２の信号変換部９９ｂと、第１の接続端子にて受信された映像信号及びセキュリティ信号の少なくとも１を第４の接続端子に接続された屋内機器４に伝送するための第３の信号変換部９９ｃと、第５の接続端子にて受信されたセキュリティ機器からのセキュリティ信号を複数のカメラ付玄関子機及び複数のモニタ付親機の少なくとも１に送信する目的でセキュリティ通信プロトコルからインターホン通信プロトコルに変換するための第４の信号変換部９９ｄと、映像信号をストレージデバイスに送信する目的でインターホン通信プロトコルから屋内機器で処理可能なデータ形式に変換するための第５の信号変換部９９ｅと、映像信号を伝送すべきモニタ付親機への信号伝送路を形成するための若しくは映像信号及びセキュリティ信号の少なくとも１を伝送すべき屋内機器への信号伝送路を形成するとともに、第３群の接続端子にて受信されたネットワークケーブルＬ１を経由して接続されたネットワークからのメールおよびブラウザ情報等の信号を伝送すべき屋内機器への信号伝送路を形成するための制御部９９と、ルータ内の信号流量を測定し、信号流量が予め定められた閾値を超えた場合には映像信号及びセキュリティ信号の少なくとも１を優先処理し、映像信号及びセキュリティ信号の少なくとも１以外の他の信号、例えば、ブラウザ情報等の信号の処理を遮断又は遅延時間挿入等により抑制するための第１の流量抑制部９８ａと、セキュリティ信号の少なくとも１以外の他の信号を抑制したにも関わらず信号流量が予め定められた閾値を超えた場合には、第２群の接続端子及び第５群の接続端子のうち少なくとも１にて受信された信号を優先処理し、第２群の接続端子及び第５群の接続端子を除く他群の接続端子にて受信された信号の処理を遮断又は遅延時間挿入等により抑制するための第２の流量抑制部９８ｂとを備えている。
【００２８】
また、複数のモニタ付親機は、それぞれセキュリティ機器からのセキュリティ信号を受信して鳴動するためのスピーカ２１０ａやモニタ２１０ｂを有する報知部２１ａと、屋内機器４又はネットワークＮに対してセキュリティ信号を転送するか否かを設定するための設定部２２ａとを備えている。
【００２９】
ここで、複数のカメラ付玄関子機１ａおよび複数のモニタ付親機２ａは第１群の接続端子９１に接続され、第１群の接続端子９１には第２の流量抑制部９８ｂを介して制御部９９の第１〜第５の信号変換部９９ａ〜９９ｅが接続されている。ネットワークカメラ３は第２群の接続端子９２に接続され、第２群の接続端子９２には第１の信号変換部９９ａが接続されている。ネットワークＮは、ネットワークケーブルＬ１を介して第３群の接続端子９３に接続され、第３群の接続端子９３には第１の流量抑制部９８ａと、第２の流量抑制部９８ｂを介して制御部９９の第２の信号変換部９９ｂが接続されている。テレビ４ａおよびパーソナルコンピュータ４ｂ等の屋内機器４は屋内機器ケーブルＬ２を介して第４群の接続端子９４に接続され、第４群の接続端子９４には、第１の流量抑制部９８ａと、第２の流量抑制部９８ｂを介して制御部９９の第３の信号変換部９９ｃが接続されている。防犯センサ５ａ、パッシブセンサ５ｂおよび呼出ボタン５ｃ等のセキュリティ機器５は、第５群の接続端子９５に接続され、第５群の接続端子９５には第４の信号変換部９９ｄが接続されている。ハードディスク６は、第６群の接続端子９６に接続され、第６群の接続端子９６には第５の信号変換部９９ｅが接続されている。制御部９９は第１〜第５の信号変換部９９ａ〜９９ｅを備えている。
【００３０】
次に、このように構成された本発明のテレビドアホンシステムの動作について説明する。
［第１の動作例］
図１において、先ず、複数のカメラ付玄関子機１ａはそれぞれ同様の構成とされ、従来のカメラ付玄関子機と同様に呼出機能、通話機能および録画機能を備えている。また、複数のモニタ付親機２ａはそれぞれ同様の構成とされ、従来のモニタ付親機と同様に呼出応答機能、呼出報知機能および録画機能を備えている。
【００３１】
このような構成の複数のカメラ付玄関子機１ａおよび複数のモニタ付親機２ａをルータ９の第１群の接続端子９１に接続すると、複数のカメラ付玄関子機１ａおよび複数のモニタ付親機２ａ間がインターホン通信プロトコルの変換を必要とすることなく接続されることになる。
【００３２】
これにより、ルータ９を中継することで、カメラ付玄関子機１ａにて撮像された映像信号（以下「インターホン映像信号」という。）をモニタ付親機２ａのモニタに出画させることができ、また、ルータ９を中継することで、カメラ付き玄関子機１ａとモニタ付親機２ａとの間で音声信号を送受信して通話を成立させることができる。
【００３３】
次に、ネットワークカメラ３が第２群の接続端子９２に接続されると、ネットワークカメラ３から出力される映像信号（以下「ネットワークカメラ映像信号」という。）が第２群の接続端子９２にて受信され、当該ネットワークカメラ映像信号が制御部９９で検出されると、ＣＰＵである制御部９９の制御により第１の信号変換部９９ａ（ＣＰＵ内の変換プログラム）が制御され、複数のモニタ付親機の少なくとも１に、例えばモニタ付親機２ａに伝送する目的でＴＣＰ、ＵＤＰ等の汎用ネットワークプロトコルがインターホン通信プロトコルに変換される。
【００３４】
これにより、ネットワークカメラ３から出力された映像信号は、第２群の接続端子９２、第１の信号変換部９９ａ、後述する第２の流量抑制部９８ｂおよび第１群の接続端子９１を介して第１のモニタ付親機２ａへ伝送される。
【００３５】
このような構成のテレビドアホンシステムによれば、カメラ付玄関子機１ａ及びモニタ付親機２ａ間を接続するルータ９に、複数のカメラ付玄関子機及び複数のモニタ付親機を接続するための第１群の接続端子９１と、ネットワークカメラ３を接続するための第２群の接続端子９２と、汎用ネットワークプロトコルをインターホン通信プロトコルに変換するための第１の信号変換部９９ａと、映像信号を伝送すべきモニタ付親機への信号伝送路を形成するための制御部９９とを備えることで、テレビドアホンシステムにおいて汎用のネットワークカメラ３を利用することができる。
［第２の動作例］
図１において、この動作例においては、第１の動作例と同様に、複数のカメラ付玄関子機１ａおよび複数のモニタ付親機２ａがルータ９の第１群の接続端子９１に接続され、また、インターネットプロバイダ等のネットワークＮがネットワークケーブルＬ１を経由して第３群の接続端子９３に接続されている。
【００３６】
この動作例においては、第１の動作例で説明したインターホン映像信号や複数のカメラ付玄関子機１ａ及び複数のモニタ付親機２ａの少なくとも１からの火災発生等のセキュリティ信号（以下「インターホンセキュリティ信号」という。）が第１群の接続端子９１にて受信され、これらの信号が後述する第２の流量抑制部９８ｂを介して制御部９９の第２の信号変換部９９ｂ（ＣＰＵ内の変換プログラム）に伝送されると、ＣＰＵである制御部９９により第２の信号変換部９９ｂが制御され、インターホン通信プロトコルが汎用ネットワークプロトコルに変換される。
【００３７】
これにより、前述のインターホン映像信号やインターホンセキュリティ信号は、第１群の接続端子９１、第２の流量抑制部９８ｂ、第２の信号変換部９９ｂ、第２の流量抑制部９８ｂ、第３群の接続端子９３およびネットワークケーブルＬ１を介してインターネットプロバイダ等のネットワークＮへ伝送される。
【００３８】
第２の動作例におけるテレビドアホンシステムによれば、第１の動作例におけるルータ９に、ネットワークＮを接続するための第３群の接続端子９３と、インターホン通信プロトコルを汎用ネットワークプロトコルに変換するための第２の信号変換部９９ｂとを備えることで、テレビドアホンシステムのインターホン映像信号やインターホンセキュリティ信号をインターネットプロバイダ等のネットワークＮに容易に転送することができる。
［第３の実施例］
図１において、この動作例においては、第２の動作例と同様に、複数のカメラ付玄関子機１ａおよび複数のモニタ付親機２ａがルータ９の第１群の接続端子９１に接続され、また、インターネットプロバイダ等のネットワークＮがネットワークケーブルＬ１を経由して第３群の接続端子９３に接続されている。さらに、テレビ４ａ、パーソナルコンピュータ４ｂ等の屋内機器４が屋内機器ケーブルＬ２を経由して第４群の接続端子９４に接続されている。
【００３９】
この動作例においては、前述のインターホン映像信号やインターホンセキュリティ信号が第１群の接続端子９１にて受信され、これらの信号が後述する第２の流量抑制部９８ｂを介して制御部９９の第３の信号変換部９９ｃに伝送されると、ＣＰＵである制御部９９により第３の信号変換部９９ｃ（ＣＰＵ内の変換プログラム）が制御され、これらのインターホン映像信号及びインターホンセキュリティ信号の少なくとも１を伝送すべき屋内機器４への信号伝送路が形成される。また、ＣＰＵである制御部９９の制御によりネットワークＮからのメールやブラウザ情報等の信号（以下「ネットワーク信号」という。）を伝送すべき屋内機器４への信号伝送路が第３群の接続端子９３、第１の流量抑制部９８ａ、第４群の接続端子９４の経路で形成される。
【００４０】
これにより、ネットワークＮからのネットワーク信号は、ネットワークケーブルＬ１、第３群の接続端子９３、第１の流量抑制部９８ａ、第４群の接続端子９４および屋内機器ケーブルＬ２を介してパーソナルコンピュータ４ｂへ伝送される。また、テレビドアホンシステムのインターホン映像信号やインターホンセキュリティ信号は、第１群の接続端子９１、第２の流量抑制部９８ｂ、第３の信号変換部９９ｃ、第２の流量抑制部９８ｂ、第４群の接続端子９４および屋内機器ケーブルＬ２を介してパーソナルコンピュータ４ｂへ伝送される。
【００４１】
第３の動作例におけるテレビドアホンシステムによれば、第２の動作例におけるルータ９に、屋内機器４を接続するための第４群の接続端子９４と、インターホン映像信号及びインターホンセキュリティ信号の少なくとも１を第３の接続端子に接続されたネットワークに伝送するための第３の信号変換部９９ｃと、インターホン映像信号及びインターホンセキュリティ信号の少なくとも１を伝送すべき屋内機器４への信号伝送路を形成するとともに、第３群の接続端子にて受信されたネットワーク信号を伝送すべき屋内機器４への信号伝送路を形成するための制御部９９とを備えることで、ネットワークＮからのネットワーク信号をパーソナルコンピュータ４ｂへ伝送することができることから、居住者はテレビドアホンシステムのルータ９のみでパーソナルコンピュータ４ｂからインターネットを利用することができるとともに、テレビドアホンシステムのインターホン映像信号やインターホンセキュリティ信号をパーソナルコンピュータ４ｂに容易に転送することができる。
［第４の実施例］
図１において、この動作例においては、第１の動作例と同様に、複数のカメラ付玄関子機１ａおよび複数のモニタ付親機２ａがルータ９の第１群の接続端子９１に接続され、また、セキュリティ通信プロトコルを有するセキュリティ機器５が第５群の接続端子９５に接続されている。
【００４２】
この動作例においては、セキュリティ機器５からのセキュリティ信号（以下「機器セキュリティ信号」という。）が第５群の接続端子９５にて受信され、機器セキュリティ信号が制御部９９の第４の信号変換部９９ｄに伝送されると、ＣＰＵである制御部９９により第４の信号変換部９９ｄ（ＣＰＵ内の変換プログラム）が制御され、複数のカメラ付玄関子機１ａ及び複数のモニタ付親機２ａの少なくとも１に送信する目的でセキュリティ通信プロトコルからインターホン通信プロトコルに変換される。
【００４３】
第４の動作例におけるテレビドアホンシステムによれば、第１の動作例のルータ９に、セキュリティ通信プロトコルを有するセキュリティ機器５を接続するための第５群の接続端子９５と、第５の接続端子にて受信された機器セキュリティ信号を複数のカメラ付玄関子機１ａ及び複数のモニタ付親機２ａの少なくとも１に送信する目的でセキュリティ通信プロトコルからインターホン通信プロトコルに変換するための第４の信号変換部９９ｄとを備えることで、セキュリティ機器５をルータ９に接続するのみでシステムを構築することができるともに、セキュリティ機器５の増設を容易に行なうことができ、また、モニタ付親機２ａの配線端子が不要となり、モニタ付親機２ａの小型化を実現することができ、さらに、モニタ付親機２ａが通話中であっても機器セキュリティ信号を独立してパーソナルコンピュータ４ｂやネットワークＮに転送することができる。
［第５の実施例］
図１において、この動作例においては、モニタ付親機２ａに、セキュリティ機器５からの機器セキュリティ信号を受信して鳴動するためのスピーカ２１０ａやモニタ２１０ｂを備える報知部２１ａと、屋内機器４又はネットワークＮに対して機器セキュリティ信号を転送するか否かを設定するための設定部２２ａとが設けられている。
【００４４】
この動作例においては、モニタ付親機２ａに機器セキュリティ信号を受信して鳴動するための報知部２１ａと、屋内機器４又はネットワークＮに対して機器セキュリティ信号を転送するか否かを設定するための設定部２２ａとが設けられていることから、警報時の転送設定は従来のテレビドアホンシステムと同等の操作性を維持することができる。
［第６の実施例］
図１において、この動作例においては、ルータ９に、ルータ９内の信号流量を測定し、当該信号流量が予め定められた閾値（例えば、ルータ９の処理能力が１００Ｍｂｐｓである場合に、その７０％）を超えた場合には、前述のインターホン映像信号及び前述のインターホンセキュリティ信号の少なくとも１を優先処理し、当該インターホン映像信号及び当該インターホンセキュリティ信号の少なくとも１以外の他の信号、例えば、ブラウザ情報等の信号（以下「ブラウザ信号」という。）の処理を遮断（例えば、「制御部９９が遮断したい通信に対して意図的にａｃｋを返さないことにより、タイムアウトさせる」か、あるいは「制御部９９が遮断したい通信に対してｒｅｊｅｃｔ信号を返す」等）又は遅延時間挿入、すなわち、通常時は制御部９９はデータ受信後直ちにａｃｋを返すところ、データ受信からａｃｋ返信までに１００ミリ秒程度の遅延を加えることで、１秒あたりのデータが流れる量を減少させること等により抑制するための第１の流量抑制部９８ａが設けられている。
【００４５】
この動作例においては、第１乃至第５の動作例におけるルータ９に、ルータ９内の信号流量を測定し、当該信号流量が予め定められた閾値を超えた場合には、のインターホン映像信号及びのインターホンセキュリティ信号の少なくとも１を優先処理し、ブラウザ信号の処理を遮断又は遅延時間挿入等により抑制するための第１の流量抑制部９８ａが設けられていることから、パーソナルコンピュータ４ｂにおいてインターネットを利用している場合でもインターホン信号が優先されるため、セキュリティの失報の危険性を減少させることができる。
［第７の実施例］
図１において、この動作例においては、第６の動作例におけるルータ９に、前述のブラウザ信号を抑制したにも関わらず前述の信号流量が予め定められた閾値を超えた場合には、第２群の接続端子９２及び第５群の接続端子９５のうち少なくとも１にて受信された信号を優先処理し、第２群の接続端子９２及び第５群の接続端子９５を除く他群の接続端子にて受信された信号の処理を遮断又は遅延時間挿入等により抑制するための第２の流量抑制部９８ｂが設けられている。
【００４６】
この動作例においては、ルータ９に前述のブラウザ信号を抑制したにも関わらず前述の信号流量が予め定められた閾値を超えた場合には、第２群の接続端子９２及び第５群の接続端子９５のうち少なくとも１にて受信された信号を優先処理し、第２群の接続端子９２及び第５群の接続端子９５を除く他群の接続端子にて受信された信号の処理を遮断又は遅延時間挿入等により抑制するための第２の流量抑制部９８ｂが設けられていることから、インターホン信号の中でもセキュリティ機器５からの機器セキュリティ信号やネットワークカメラ３からのネットワークカメラキュリティ信号が優先されるため、セキュリティの失報の危険性をさらに減少させることができる。
［第８の実施例］
図１において、この動作例においては、ハードディスク６等のストレージデバイス６がルータ９のＵＳＢ端子等の第６群の接続端子９６に接続され、また、ルータ９には、映像信号をストレージデバイスに送信する目的でインターホン通信プロトコルから屋内機器４で処理可能なデータ形式に変換するための第５の信号変換部９９ｅとが設けられている。
【００４７】
この動作例においては、ハードディスク等のストレージデバイス６がルータ９のＵＳＢ端子等の第６群の接続端子９６に接続されると、第１群、第３群、第４群の接続端子９１、９３、９４にそれぞれ接続された機器からの映像信号について信号書き込みを可能とすることができる。また、ＣＰＵである制御部９９の制御により第５の信号変換部９９ｅ（ＣＰＵ内の変換プログラム）が制御され、当該映像信号をストレージデバイスに送信する目的でインターホン通信プロトコルから屋内機器４で処理可能なデータ形式に変換される。
【００４８】
この動作例においては、テレビドアホンシステムのインターホン映像信号をハードディスク等のストレージデバイス６に保管し、モニタ付親機２ａだけでなくパーソナルコンピュータ４ｂやネットワークからでも容易に閲覧可能であるとともに、ハードディスク等のストレージデバイス６をパーソナルコンピュータ４ｂの外部ストレージとしても利用できるため、利便性をさらに向上させることができる。
【００４９】
なお、以上の本発明のテレビドアホンシステムにおいては、特定の実施の形態をもって説明しているが、この形態に限定されるものではなく、本発明の効果を奏する限り、これまで知られた如何なる構成の当該システムであっても採用できることはいうまでもないことである。たとえば、前述のルータの第１乃至第６群の接続端子に代えて、第１乃至第６群の接続端子に接続される有線配線を無線ＬＡＮ等の無線で接続するための無線送受信部を搭載してもよい。この場合は、無線化するため、各機器の移動が容易となる。また、前述のルータの第３群の接続端子に代えて、ネットワークを携帯電話網等の無線回線で接続するための無線送受信部を搭載してもよい。この場合は、携帯電話網が使用できるため、機器の設置が容易となる。
【符号の説明】
【００５０】
１ａ・・・カメラ付玄関子機
２ａ・・・モニタ付親機
２１ａ・・・報知部
２２ａ・・・設定部
３・・・ネットワークカメラ
４・・・屋内機器
６・・・ストレージデバイス
９・・・ルータ
Ｎ・・・ネットワーク
９１・・・第１群の接続端子  
９２・・・第２群の接続端子
９３・・・第３群の接続端子  
９４・・・第４群の接続端子
９５・・・第５群の接続端子  
９６・・・第６群の接続端子
９８ａ・・・第１の流量抑制部
９８ｂ・・・第２の流量抑制部
９９ａ・・・第１の信号変換部
９９ｂ・・・第２の信号変換部
９９ｃ・・・第３の信号変換部
９９ｄ・・・第４の信号変換部
９９ｅ・・・第５の信号変換部
９９・・・制御部
Ｌ１・・・ネットワークケーブル
Ｌ２・・・屋内機器ケーブル
【図１】
2012209900.tif 000003